(57)【要約】【課題】現像済み写真フィルムからリーダを切り離す処理において、切り離しが確実に接続部にて行われる写真フィルム処理装置を提供する。【解決手段】露光済みの写真フィルムを、先頭部にリーダが接続された状態で処理する現像処理部を有し、現像済み写真フィルムを排出する搬送機構に、リーダを写真フィルムから切り離す分離機構Ｋが備えられており、分離機構Ｋとして、リーダと写真フィルムとの接続部を検出する検出手段５７と、リーダを切り離すためのカッタ５６Ａと、検出手段５７による接続部の検出に応じてカッターモータＭ５６の電源をＯＮ操作する電源開閉手段５９とを設けた。【選択図】図４
2007279299.tif 000002
【特許請求の範囲】
【請求項１】
露光済みの写真フィルムを、先頭部に先導用のリーダが接続された写真フィルムの状態で現像処理する現像処理部を有し、前記現像処理部から現像済み写真フィルムを排出する搬送機構に、前記リーダを写真フィルムから切り離す分離機構が備えられている写真フィルム処理装置であって、
前記分離機構が、前記リーダと写真フィルムとの接続部を検出する検出手段と、前記リーダを切り離すためのカッタと、前記検出手段による前記接続部の検出に応じて前記カッタの電源をＯＮ操作する電源開閉手段とを備えている写真フィルム処理装置。
【請求項２】
前記接続部は、前記リーダを写真フィルムの先頭部に接続するスプライステープを含み、前記スプライステープは可視光と赤外光との双方を遮光し、且つ、前記リーダが可視光と赤外光との少なくとも一方を透過し、
前記検出手段は、可視光を用いた第１光センサと、赤外光を用いた第２光センサと、前記第１光センサと前記第２光センサとの双方の遮光に応じて前記スプライステープの通過を判定する判定手段とを有する請求項１に記載の写真フィルム処理装置。
【請求項３】
前記搬送機構に、写真フィルムの後端部を検出する後端検出手段が備えられており、前記後端検出手段による前記後端部の検出に応じて、前記電源開閉手段が前記カッタの電源を再びＯＮ操作する請求項１または２に記載の写真フィルム処理装置。
【請求項４】
前記検出手段を構成する光センサが前記カッタよりも上流側に配置されており、前記後端検出手段を兼ねている請求項３に記載の写真フィルム処理装置。
【発明の詳細な説明】
【技術分野】
【０００１】
本発明は、露光済みの写真フィルムを先頭部に先導用のリーダが接続された写真フィルムの状態で現像処理する現像処理部を有し、前記現像処理部から現像済み写真フィルムを排出する搬送機構に、前記リーダを写真フィルムから切り離す分離機構が備えられている写真フィルム処理装置に関する。
【背景技術】
【０００２】
この種の写真フィルム処理装置としては、本発明に関連する先行技術文献情報として下記に示す特許文献１がある。この特許文献１に記された写真フィルム処理装置では、現像処理部と、画像読み取り部と、現像処理部から排出された現像済み写真フィルムからリーダを切り離す分離機構（リーダリムーバ）とを備え、現像済み写真フィルムを現像処理部から画像読み取り部に送り出す搬送経路の途中に、画像読み取り部に向かう分岐経路が形成されている。尚、画像読み取り部は、写真フィルムの幅方向に関する位置精度が必要という理由もあって、現像処理部よりも幅の狭い搬送経路を備えている。したがって、現像済み写真フィルムを分離機構に送り、そこでリーダを切り離された写真フィルムを一旦現像処理部向きに引き戻し、分岐経路から画像読み取り部に向かわせる制御を実行させれば、オペレータが写真フィルム自動現像処理機から排出された現像済み写真フィルムからリーダを手動で切り離し、やはり手動で写真フィルムのみを幅の狭い搬送経路を備えた画像読み取り機に装填するという煩雑な操作が不要となっている。
【０００３】
【特許文献１】特開平１１−２３４４７６号公報（段落番号０００４、００２８、００３２、図２）
【発明の開示】
【発明が解決しようとする課題】
【０００４】
ところで、特許文献１には、現像済み写真フィルムからリーダを切り離す分離機構についての具体的な構成が明記されていないが、例えば、一般的な技術に基づいて、この分離機構を、リーダと写真フィルムとの接続部を検出する検出手段と、リーダを切り離すためのカッタと、検出手段による接続部の検出に応じてカッタを駆動する制御装置とで構成することが考えられる。しかし、このような構成とした場合、例えば、接続部の検出手段と連係してカッタを操作する制御装置をなすＣＰＵなどのデバイスが不測の原因によって暴走した場合や周辺機器などからのノイズによって不用意に動作したなどに、検出手段の検出結果と無関係にカッタが駆動されて、写真フィルムが画像部分で切断されるなどの懸念があった。
【０００５】
そこで、本発明の目的は、上に例示した従来技術による写真フィルム処理装置の持つ前述した欠点に鑑み、現像済み写真フィルムからリーダを切り離す処理において、切り離しが確実に接続部にて行われる写真フィルム処理装置を提供することにある。
【課題を解決するための手段】
【０００６】
本発明の第１の特徴構成は、露光済みの写真フィルムを現像処理する現像処理部を有し、前記現像処理部から現像済み写真フィルムを排出する搬送機構に、前記現像処理部にて写真フィルムを先導するために写真フィルムの先頭部に接続されているリーダを切り離す分離機構が備えられている写真フィルム処理装置であって、
前記分離機構が、前記リーダと写真フィルムとの接続部を検出する検出手段と、前記リーダを切り離すためのカッタと、前記検出手段による前記接続部の検出に応じて前記カッタの電源をＯＮ操作する電源開閉手段とを備えている点にある。
【０００７】
したがって、本発明の第１の特徴構成による写真フィルム処理装置では、検出手段によって接続部が検出されたという条件が整った時にのみ、カッタ電源がＯＮ操作され、カッタが駆動されてリーダは正しい位置（接続部）で切り離される。そして、それ以外の条件下ではカッタ電源がＯＦＦに維持されるので、万一制御装置を構成するデバイスが不測の原因で暴走する場合や、周辺機器などからのノイズによって不用意に動作する場合があっても、カッタは駆動されないので、現像済みの写真フィルムが画像部分で切断される事態が防止される。
【０００８】
本発明の他の特徴構成は、前記接続部は、前記リーダを写真フィルムの先頭部に接続するスプライステープを含み、前記スプライステープは可視光と赤外光との双方を遮光し、且つ、前記リーダが可視光と赤外光との少なくとも一方を透過し、
前記検出手段は、可視光を用いた第１光センサと、赤外光を用いた第２光センサと、前記第１光センサと前記第２光センサとの双方の遮光に応じて前記スプライステープの通過を判定する判定手段とを有する点にある。
【０００９】
本構成であれば、スプライステープのみを切断するという切り離し方が可能となるので、リーダを切断してしまうこともないし、また、写真フィルムの画像コマ以外の部位（写真フィルムの先頭に位置する画像を含まない余黒などと呼ばれる部位）さえも切断されることもない。
【００１０】
本発明の他の特徴構成は、前記搬送機構に、写真フィルムの後端部を検出する後端検出手段が備えられており、前記後端検出手段による前記後端部の検出に応じて、前記電源開閉手段が前記カッタの電源を再びＯＮ操作する点にある。
【００１１】
すなわち、写真フィルム処理装置の現像処理部から排出されて、リーダと切り離された現像済みの写真フィルムを、その先頭部からではなく後端から、写真フィルム処理装置の画像読み取り部や別途に設置された画像読み取り装置に供給する使用法が好都合な場合がある。ところが、一般に、写真フィルム処理装置の現像処理部から排出された写真フィルムの後端はパトローネ装填部に設けられたカッタによって斜めに切断されている場合やパトローネのスプールとの接続部（著しくカールした紙テープやフィルムベースからなるジョイント部）が残されている場合があり、そのままの状態で後端から搬送されると画像処理装置内でジャミングを起こす虞が大である。しかし、本構成であれば、検出手段によるスプライステープの未検出に基づいて一旦はＯＦＦに切り替えられているカッタ電源が、後端検出手段による前記後端部の検出に基づいて再度ＯＮに切り替えられるので、リーダが切り離された現像済みの写真フィルムの後端部を、リーダの切り離し用として設けられた分離機構を再び用いて適切な長さ（例えば画像コマ部位に及ぶ虞の無い３〜４ｃｍなど）だけ自動的に真直ぐに切り落とすことが可能になり、後端から写真フィルム処理装置の画像読み取り部や画像読み取り装置に供給してもジャミングなどのトラブルが生じ難くなる。
【００１２】
本発明の他の特徴構成は、前記検出手段を構成する光センサが前記カッタよりも上流側に配置されており、前記後端検出手段を兼ねている点にある。
【００１３】
本構成であれば、写真フィルムとリーダとの接続部を検出するための光センサをカッタよりも上流側に設けたことで、この光センサによって後端部を検出した後のタイミングでカッタを駆動しても後端の切断が可能になる。そのため、検出手段を構成する光センサで後端検出手段を兼ねさせることが可能となり、結果として部品点数を削減できる。
【発明を実施するための最良の形態】
【００１４】
以下に本発明による最良の実施形態について図面を参照しながら説明する。
（写真フィルム処理装置２００の全体構成）
図１に示す写真フィルム処理装置２００には、露光済み写真フィルムの現像処理を行うフィルムプロセッサ部ＦＰ（現像処理部の一例）と、現像済み写真フィルムのコマ画像情報をスキャニングして光電変換によりデジタル信号化された画像データとして取得するフィルムスキャナ部ＦＳとが一体的に備えられている。また、図２に示すように、フィルムプロセッサ部ＦＰとフィルムスキャナ部ＦＳとの間には、フィルムプロセッサ部ＦＰから排出された現像済み写真フィルムを導入ガイドＴによってフィルムスキャナ部ＦＳに送り込む供給作動と、フィルムプロセッサ部ＦＰの上面のストッカーＳＴに送り出す排出作動との間で切換自在な供給搬送ユニットＡが設けられている。
【００１５】
図１に示すように、この写真フィルム処理装置２００は通信回線１，２によって写真プリント装置Ｐと連係させ、写真フィルム処理装置２００と写真プリント装置Ｐとの間に介装された画像処理部Ｇが双方の装置を制御する形態で使用することができる。画像処理部Ｇは、通信機能と画像処理機能とを有する汎用コンピュータで成る処理装置３を備え、モニタ４とキーボード５とマウス６とを備えている。画像処理部Ｇの処理装置３は、通信回線１を介して写真フィルム処理装置２００に接続され、通信回線２を介して写真プリント装置Ｐに接続されている。
【００１６】
このような構成により、画像処理部Ｇからの制御信号によって、写真フィルム処理装置２００による処理の実行と、写真フィルム処理装置２００による処理状況とを画像処理部Ｇで把握することができ、写真フィルム処理装置２００で取得した画像データを画像処理部Ｇの処理装置３に伝送することができる。更に、画像処理部Ｇから通信回線２を介して画像データを写真プリント装置Ｐに伝送し、この写真プリント装置Ｐにおいて印画紙等のプリント媒体にプリントする処理を実行させることができる。
【００１７】
本発明では、写真プリント装置Ｐは銀塩式の印画紙に露光処理によってプリントする形態を想定しているが、銀塩式の印画紙だけでなく、インクジェット型プリンタや昇華型のプリント装置を用いて銀塩式以外のプリント媒体にプリントするものであっても良い。
また、フィルムプロセッサ部ＦＰに送り込む以前の写真フィルムを未現像写真フィルムと称し、フィルムプロセッサ部ＦＰで現像処理を行った後の写真フィルムを現像済み写真フィルムと称しているが、夫々の区別は明らかであるので、以下、未現像写真フィルムと現像済み写真フィルムとをフィルムＦと略称する。
【００１８】
（フィルムプロセッサ部ＦＰ）
フィルムプロセッサ部ＦＰは、図１に示すように、暗箱構造となる筐体状のプロセッサ本体１０の前部にフィルム挿入部１１を備える。また、図２及び図１０に示すように、プロセッサ本体１０の内部に現像処理部１２と乾燥処理部１３とを備え、プロセッサ本体１０の後端側の上部位置に排出部１４を備え、フィルム挿入部１１から排出部１４に亘る搬送機構１５を有する。プロセッサ本体１０の前部位置には、各種情報を表示する液晶ディスプレイ１６Ａと、複数の操作ボタン１６Ｂを有したコントロールパネル１６とを備え、プロセッサ本体１０の内部には該フィルムプロセッサ全体の制御を実現する制御ユニット１７を備えている。
尚、プロセッサ本体１０の前部とは、フィルム挿入部１１やコントロールパネル１６を操作するオペレータが向き合う側を指し、フィルムスキャナ部ＦＳにおいても、プロセッサ本体１０と同じ方向を前部と称する。
【００１９】
図２に示すように、プロセッサ本体１０の排出部１４は、プロセッサ本体１０の後端から上方に突出形成された排出ブロック１０Ａに設けられている。また、プロセッサ本体１０の上面には、排出部１４から排出されるフィルムＦが直接進入できるストッカーＳＴが備えられている。
フィルム挿入部１１には開閉自在な蓋体１１Ａが備えられており、このフィルム挿入部１１には、カートリッジまたはパトローネからなるフィルム収納体Ｃｆをセットするための収納体保持部（不図示）、フィルム収納体Ｃｆから長尺のフィルムＦを引き出して前述した搬送機構１５に受け渡す機構（不図示）、及び、フィルム収納体Ｃｆがパトローネの場合にフィルムＦの後端をスプールから切り離すためのマガジン切り離しユニット（不図示）などが備えられている。
【００２０】
また、フィルム挿入部１１には、フィルム収納体Ｃｆの存否を判別するセンサ、蓋体１１Ａの開閉状態を判別するセンサの他に、図２、図１３に示すように、フィルムＦが１３５サイズであるか、２４０サイズであるかを判別するフィルム種センサＳＦと、リーダＬの位置を判別するリーダセンサＳＬと、１３５サイズのフィルムＦのパーフォレーションＰｅの位置を検出するパーフォレーションセンサＳＰを備えている。
【００２１】
１３５サイズのフィルムＦの現像処理を例に挙げると、図１１に示すように、フィルム収納体Ｃｆから引き出し、直角に切断したフィルムＦの先頭部に粘着層を備えたスプライステープＪによって板状のリーダＬを取り付け、蓋体１１Ａを開放して、フィルム挿入部１１にフィルム収納体ＣｆをリーダＬが先行するようにセットする。次に、蓋体１１Ａを閉じた後、コントロールパネル１６の所定の操作ボタン１６Ｂ等を操作することで、制御ユニット１７の制御によって、リーダＬに先導された形でフィルムの搬送が開始され、現像処理部１２での現像処理と、乾燥処理部１３での乾燥処理とを終えると、排出部１４からフィルムＦがリーダＬと共に排出される。
リーダＬは少なくとも赤外光を透過する透明または半透明の樹脂製で、フィルムＦと同程度の柔軟性を持ち、幅方向での一端には搬送用の複数のパーフォレーションＬｐが形成されている。また、スプライステープＪには可視光と赤外光との双方を遮光する素材が選択されている。因みに、現像済みのフィルムＦは、基本的に可視光は遮光するが、赤外光は透過させる。
【００２２】
現像処理部１２は、１つの発色現像槽、１つの漂白槽、２つの定着槽、３つの安定槽を樹脂材料で単一化した処理ユニット１２Ａを備えており、搬送機構１５のうち、処理ユニット１２ＡでフィルムＦを搬送する部位には処理ユニット１２Ａに形成した発色現像槽、漂白槽、定着槽、安定槽に対して、この順序でリーダＬ及びフィルムＦを搬送する複数の圧着型のローラを備えている。また、乾燥処理部１３には現像処理部１２から送り出されたフィルムＦに対して、外部の空気を加熱して吹き付けるブロワ１３Ａを備えている。
【００２３】
搬送機構１５は、前述したようにフィルム挿入部１１から排出部１４に亘ってフィルムＦを搬送する機能を有するものであり、この搬送を行うため搬送経路の各部に圧着ローラ１５Ａを備え、複数の圧着ローラ１５Ａを電動モータ（図示せず）で同期駆動する駆動系を備えている。搬送機構１５のうち、排出部１４に配置されたものを特に排出ローラ１５Ｅと称する。
【００２４】
ストッカーＳＴは、図４及び図１０に示すように、プロセッサ本体１０の上部に備えた透明樹脂製のカバー１８の内部空間で構成されている。カバー１８は、後部位置（フィルムＦの搬送方向で上流側）から前部位置（フィルムの搬送方向で下流側）に亘ってリーダＬの幅方向の両端部に接触して案内するガイド部１８Ｇを形成し、カバー１８の後端側から中央部に亘ってフィルムＦが上下方向に通過するスリット１８Ｓを形成し、更に、カバー１８の前端側にリーダＬを保持するリーダ保持部１８Ｌと回収孔１８Ｍとを形成している。ガイド部１８Ｇのうち後端側は、排出部１４から排出されたリーダＬの先端を上方に案内する傾斜面１８ＧＳを形成している。
【００２５】
このようにカバー１８が形成されているので、排出部１４からリーダＬが排出される際に、供給搬送ユニットＡが排出作動を行う場合には、リーダＬの先端がカバー１８に形成したガイド部１８Ｇの傾斜面１８ＧＳで案内されることで上方に持ち上げられ、この後、自重での滑動とフィルムＦからの押圧力とによってリーダ保持部１８Ｌに送り込まれる。リーダＬに続くフィルムＦはスリット１８ＳからストッカーＳＴに落とし込まれる。
【００２６】
（フィルムスキャナ部ＦＳ）
フィルムスキャナ部ＦＳは、図１〜図３に示すように、筐体構造のスキャナ本体２０の下部にフィルムキャリア２１を備え、フィルムキャリア２１の下側に光源ユニット２２を配置し、フィルムキャリア２１の上側にズームレンズ２３と光電変換ユニット２４とを配置し、スキャナ本体２０の内部に処理ユニット２５を備え、スキャナ本体２０の前面にスタートボタン２６を備えている。フィルムスキャナ部ＦＳは、フィルムプロセッサ部ＦＰに固定された中間フレームＭの上端に支持され、排出ブロック１０Ａの上方に配置されている。
【００２７】
フィルムキャリア２１は、フィルムＦの下側に配置されるベース２１Ａと、ベース２１Ａの上部に配置されるカバー２１Ｂとを重ね合わせた構造を有すると共に、この重ね合わせ部分にフィルムＦをスキャニング位置に導くトンネル状の空間となる搬送経路が形成される。この搬送経路の導入側の端部に導入ガイドＴ（供給部の一例）を備え、搬送端位置にフィルムＦを巻き取る巻取ユニットＲを備え、この搬送経路には、フィルムＦを圧着して搬送する複数の圧着ローラ２１Ｒと、複数の存否センサ２１Ｓとを備えている。
【００２８】
存否センサ２１Ｓは発光ダイオード等で成る光源Ｓａと、フォトダイオードやフォトトランジスタ等で成る受光素子Ｓｂとで構成され、これらの存否センサ２１ＳはフィルムＦの導入を検出する位置と、フィルムＦがスキャニング位置の直前に達した状態を検出する位置と、フィルムＦの後端がスキャニング位置を通過した状態を検出する位置に配置されている。
【００２９】
光源ユニット２２はＲ（赤）、Ｇ（緑）、Ｂ（青）の３原色の発光ダイオード（ハロゲンランプ等の発光体を備えても良い）から作り出した白色光を、スキャニング位置において光軸に沿って上方に光線を送り出す。フィルムキャリア２１には、光源ユニット２２からの光線が送られるスキャニングゲートをスリット状に形成しており、ズームレンズ２３は、スキャニングゲートを通過した光線を光電変換ユニット２４の光電変換素子に結像さ
【００３０】
光電変換ユニット２４にはＲ（赤）、Ｇ（緑）、Ｂ（青）の３原色に対応した３ライン型の可視光用のラインセンサ２４Ａと、赤外光（ＩＲ）を感知する１ライン型の赤外光用のラインセンサ２４Ｂとを内蔵すると共に、ズームレンズ２３からの可視光を透過させ、赤外光を反射させるダイクロイックミラー型のビームスプリッター２４Ｃを備えている。
【００３１】
ラインセンサ２４Ａ、２４ＢはＣＣＤ型やＣＭＯＳ型等光電変換素子を備えており、可視光用のラインセンサ２４Ａは、後述するプレスキャンと本スキャンとにおいて画像データを取得し、赤外光用のラインセンサ２４Ｂで取得したデータはフィルムＦのゴミや傷に起因する欠陥領域を特定し、濃度調整処理や、ニアレストネイバー法、バイリニア法、バイキュービック法等による補間処理によって本スキャンによって取得した画像データの欠陥を修正する処理に利用される。
【００３２】
図面には示していないが、フィルムキャリア２１には１３５サイズのフィルムＦに対応した搬送経路と、２４０サイズのフィルムＦに対応した搬送経路とが平行する姿勢で形成され、これらの搬送経路の搬送端に対して巻取ユニットＲを備え、導入ガイドＴはスライド作動を行わない部材に固定されている。このような構造のため、フィルムキャリア２１を搬送経路と直交する方向にスライド作動させることで一方の搬送経路のフィルムＦをスキャニング位置に供給できる。
巻取ユニットＲは、内部に巻き取り軸を備え、この巻き取り軸の駆動回転によりフィルムＦを一時的に先端側から巻き取る作動を行い、巻き取り軸の逆転によりフィルムＦを後端側から送り出す作動を実現する。
図面には示していないが、２４０サイズのフィルムＦのスキャニングを行う場合には、カートリッジに収容したフィルムをフィルムキャリア２１の端部にセットし、このカートリッジからフィルムキャリア２１にフィルムＦを引き出してスキャニングを行う処理形態となる。
【００３３】
フィルムスキャナ部ＦＳは、フィルムＦを先端側から巻取ユニットＲで巻き取りながら比較的高速で導入しながらフィルムＦの画像データを粗く（低解像度で）取得するプレスキャンと、フィルムＦを逆方向に送り出しながらフィルムＦの各コマの画像データを密に（高解像度で）取得する本スキャンとの２種類のスキャニング形態のいずれかを選択的に実施可能に設定されている。
【００３４】
導入ガイドＴは、図７に示すように導入経路の下側に配置されるガイド本体３１と、導入経路の上側に配置される蓋体３２とを開閉自在にヒンジ３３で連結し、蓋体３２を閉じ姿勢に維持する永久磁石３４を備えた構造を有し、永久磁石３４によって蓋体３２を閉じ姿勢に設定した場合にはガイド本体３１と蓋体３２との間にトンネル状の導入経路が形成されるように構成されている。また、導入ガイドＴは蓋体３２の姿勢を検出する開閉センサ３５を備えている。
【００３５】
（回収ユニットＣ）
フィルムスキャナ部ＦＳでの本スキャン後に導入ガイドＴの導入経路を介して送り出されるフィルムＦをストッカーＳＴに送り込む回収ユニットＣを備えている。
図２、図４、図７〜図９に示すように、回収ユニットＣは、導入ガイドＴの延長線上に配置される排出ガイドＣａと、排出ガイドＣａからのフィルムＦをストッカーＳＴに送り込むループ状の回収ガイドＣｂとで構成されている。
【００３６】
排出ガイドＣａは導入ガイドＴと同様に排出経路の下側に配置されるガイド本体４１と、導入経路の上側に配置される蓋体４２とを開閉自在にヒンジ４３で連結し、蓋体４２を閉じ姿勢に維持する永久磁石４４を備えた構造を有し、永久磁石４４によって蓋体４２を閉じ姿勢に設定した場合にはガイド本体４１と蓋体４２との間にトンネル状の導入経路が形成されるように構成されている。
【００３７】
尚、排出ガイドＣａの蓋体４２は、導入ガイドＴの蓋体３２を開放した際に連係して開放するように、導入ガイドＴの蓋体３２に接当して開放操作力を作用させる構造を有している。
また、排出ガイドＣａのガイド本体４１のフィルムＦの排出方向での下流側の端部の下面位置は、横向き姿勢の支軸４５周りで中間フレームＭに揺動自在に支持され、支軸４５周りで揺動自在に案内片４６を備えている。
【００３８】
ガイド本体４１は揺動端を下方に向けてバネ（図示せず）で付勢され、供給搬送ユニットＡからフィルムＦの先端を導入ガイドＴに供給する際には、図１６（ｄ）に示すように揺動端が上方に揺動することによって、供給搬送ユニットＡからのフィルムＦの供給を許す。また、案内片４６はフィルムＦの排出方向の下流側の端部が支軸４５周りで上方に揺動するようにバネ（図示せず）で付勢され、蓋体４２を開放した場合にのみ同図に示す如く揺動端が上方に揺動する。
【００３９】
回収ガイドＣｂは、フィルムＦの幅方向の両端部を案内する案内部材４７と、案内部材４７に沿ってフィルムＦを搬送する複数の圧着ローラ４８とを備えている。案内部材４７はフィルムＦの幅方向での両端位置を案内するように断面形状「コ」字状の案内部４７Ｇを備えている。
案内部材４７の上部位置の上面には案内片４６からのフィルムＦが送られる排出部４７Ａを形成しており、フィルムＦの排出方向で排出部４７Ａの上流側にはフィルムＦを案内する傾斜姿勢のガイド部を形成している。また、回収ユニットＣには圧着ローラ４８を駆動するステッピングモータ型の回収モータＭ４８を備えている。
【００４０】
（供給搬送ユニットＡ）
図２〜図６に示すように、供給搬送ユニットＡはフィルムスキャナ部ＦＳの下方に配置され、フィルムプロセッサ部ＦＰの排出部１４から排出されたフィルムＦを供給経路に沿って斜め上方に案内するガイドフレームＡｇと、ガイドフレームＡｇからのフィルムＦの先端を圧着して導入ガイドＴに供給する供給作動を行うチャックフレームＡｃとを備えている。
【００４１】
ガイドフレームＡｇは、供給経路の上側に配置された上部プレート５１と、この供給経路の下側に配置された下部プレート５２と、下部プレート５２のフィルムＦの搬送方向の上流側の端部に支軸５３周りで揺動自在に支持した切換プレート５４と、供給経路に送られるリーダＬとフィルムＦを圧着して搬送する２組の圧着ローラ５５と、フィルムＦからリーダＪを切り離す分離ユニットＫ（分離機構の一例）を備えている。
【００４２】
上部プレート５１と下部プレート５２との間に溝状の供給経路が形成され、これらは中間フレームＭに支持されている。図６に示すように、切換プレート５４はリーダＬを支持案内可能な幅を有し、その中央部にはフィルムＦの挿通を許す開口５４Ａが形成されている。また、切換プレート５４は、図４に示す電磁型の切換ソレノイドＳ５４によって、図１５（ａ）に示す開放姿勢と、図１５（ｂ）に示す閉鎖姿勢との間で切り換え可能に構成されている。切換プレート５４が閉鎖姿勢に設定されると、供給搬送ユニットＡはフィルムプロセッサ部ＦＰから送り出されたフィルムＦをストッカーＳＴに直接送り出す排出作動を実施可能となる。
【００４３】
図４に示すように、２組の圧着ローラ５５はステッピングモータで成る搬送モータＭ５５で駆動される。
図５に示すように、チャックフレームＡｃは、中間フレームＭに支持された横向きの揺動軸６１周りで揺動自在に支持された揺動フレーム６２と、フィルムＦをガイドするために揺動フレーム６２の揺動端に設けられた上下のガイド体６３と、各ガイド体６３の部位においてフィルムＦを圧着搬送する一対のチャックローラ６４とを備えている。
【００４４】
揺動フレーム６２はステッピングモータで成る揺動モータＭ６２からの駆動力によって図１５に示すチャック姿勢と、図１６（ｄ）に示す供給姿勢とに切換自在に構成されている。また、図５に示すように、チャックローラ６４の一方の軸端に入力ギヤ６４Ａを備え、揺動フレーム６２がチャック姿勢にある際に入力ギヤ６４Ａに咬合して駆動力を伝える第１伝動ギヤＧ１と、揺動フレーム６２が供給姿勢にある際に入力ギヤ６４Ａに咬合して駆動力を伝える第２伝動ギヤＧ２とを備え、第１伝動ギヤＧ１と第２伝動ギヤＧ２とを独立して駆動するようにステッピングモータで成る第１モータＭ１と第２モータＭ２とを備えている。
特に、揺動フレーム６２を供給姿勢に設定した場合には、揺動フレーム６２が排出ガイドＣａに接当することにより、排出ガイドＥを支軸４５周りで上方に揺動させ、揺動フレーム６２に備えたガイド体６３から導入ガイドＴに対して直線的にフィルムＦを供給する位置に達する。
【００４５】
（分離ユニットＫ）
分離ユニットＫは、リーダＬに先導されて供給搬送ユニットＡの供給経路を搬送されるスプライステープＪ（接続部の一例）を検出可能な被搬送体検出手段５７と、スプライステープＪを切断することでフィルムＦからリーダＬを切り離すための切断刃５６Ａと、切断刃５６Ａを駆動するための電動式のカッターモータＭ５６と、被搬送体検出手段５７によるスプライステープＪの検出に応じてカッターモータＭ５６の電源をＯＮ操作する電源開閉手段５９とを備えている。
【００４６】
被搬送体検出手段５７は、可視光を用いた第１光センサ５７ａと、赤外光を用いた第２光センサ５７ｂとを有する。リーダＬは少なくとも赤外光を透過させ、現像済みのフィルムＦも基本的に赤外光を透過させるが、スプライステープＪは可視光と赤外光との双方を遮光するので、第１光センサ５７ａと第２光センサ５７ｂとの双方が遮光された時、スプライステープＪが通過中であると判定することができる。尚、第１光センサ５７ａと第２光センサ５７ｂとは可及的に互いに近接配置することが好ましい。このような第１光センサ５７ａと第２光センサ５７ｂとの遮光状態に基づく通過中の被搬送体の判定は、被搬送体検出手段５７の一部として処理ユニット２５に設けられた被搬送体判定手段９３Ａ（判定手段の一例）によって実行される。尚、第１光センサ５７ａと第２光センサ５７ｂとは、いずれも、発光ダイオード等で成る光源と、フォトダイオードやフォトトランジスタ等で成る受光素子とで構成されており、これらの光源と受光素子とは、搬送されるフィルムＦの幅方向に関する中央位置にフィルムＦの面を間に挟むように配置されている。
【００４７】
（制御形態）
写真フィルム処理装置２００では、フィルムプロセッサ部ＦＰに備えた制御ユニット１７と、フィルムスキャナ部ＦＳに備えた処理ユニット２５とが通信手段を介して情報を互いにアクセス可能に接続されている。
また、写真フィルム処理装置２００では自動スキャニングモードでの制御と、排出モードでの制御とが可能である。自動スキャニングモードでは、供給搬送ユニットＡの切換プレート５４を開放姿勢に設定することにより、フィルムプロセッサ部ＦＰからのフィルムＦをフィルムスキャナ部ＦＳに自動的に供給してスキャニングが行われる。しかし、自動スキャニングモードでの制御時にフィルムスキャナ部ＦＳでのスキャニングが不可能であると判定された場合は、供給搬送ユニットＡの切換プレート５４を閉鎖姿勢に切り換えることによりフィルムＦをストッカーＳＴに強制的に排出するよう制御形態が設定されている。これらの制御を実現する制御構成と制御形態とを以下に説明する。
【００４８】
（制御構成）
写真フィルム処理装置２００では、フィルムスキャナ部ＦＳの処理ユニット２５が、供給搬送ユニットＡと回収ユニットＣの制御を行う。その制御系を図１２のように示すことが可能である。
つまり、処理ユニット２５は入出力インタフェース８０と、入出力インタフェース８０からの情報を処理するマイクロプロセッサＣＰＵとを備えると共に、入出力インタフェース８０は、フィルムキャリア２１、光源ユニット２２、ズームレンズ２３、光電変換ユニット２４、スタートボタン２６、開閉センサ３５夫々との間で情報をアクセスする系が形成されている。また、入出力インタフェース８０は通信ユニット８１と接続しており、通信ユニット８１は供給搬送ユニットＡ、回収ユニットＣ、フィルムプロセッサ部ＦＰ、画像処理部Ｇ夫々との間で情報をアクセスする系が形成されている。
【００４９】
図面には示していないが、入出力インタフェース８０は、フィルムキャリア２１の存否センサ２１Ｓからのフィルム検出信号が入力すると共に、圧着ローラ２１Ｒを駆動するモータに対して制御信号を出力する。これと同様に、入出力インタフェース８０は光源ユニット２２には発光を制御する信号を出力し、ズームレンズ２３には焦点距離を制御する信号と合焦を制御する信号とを出力し、光電変換ユニット２４には、光電変換を制御する信号を出力し、光電変換によって取得した画像データを取得する。
更に、入出力インタフェース８０は、分離ユニットＫの第１光センサ５７ａ及び第２光センサ５７ｂからの信号が入力すると共に、切換ソレノイドＳ５４と搬送モータＭ５５とカッターモータＭ５６とに対して制御信号を出力する。
【００５０】
マイクロプロセッサＣＰＵは、データを記憶するＲＡＭやＲＯＭで成る半導体メモリ８２、処理実行手段８３、プレスキャン実行手段８４、コマ抽出手段８５、本スキャン実行手段８６、モード切換手段８７、供給搬送制御部Ｘ、回収搬送制御部Ｙ夫々との間で情報をアクセスする情報系が形成されている。また、供給搬送制御部Ｘは搬送制御手段９１、及び、切断制御手段９２を備え、回収搬送制御部Ｙは搬送制御手段９４を備えている。
【００５１】
処理実行手段８３は、フィルムプロセッサ部ＦＰから排出されたフィルムＦをフィルムスキャナ部ＦＳに送り込む自動スキャニングモードでの制御と、供給搬送ユニットＡに排出作動を行わせることによりフィルムプロセッサ部ＦＰから排出されたフィルムＦをストッカーＳＴに排出する排出モードでの制御との何れかの制御を選択的に実現可能である。
また、処理実行手段８３は、フィルムプロセッサ部ＦＰで現像処理が行われるフィルムＦを特定する識別情報（後述するオーダーナンバー）をモニタ４に表示する処理を行う。プレスキャン実行手段８４はフィルムスキャナ部ＦＳにおいてフィルムＦを比較的高速で導入しながらフィルムＦの画像データを粗く（低解像度で）取得するプレスキャンを実行する。
【００５２】
コマ抽出手段８５は、プレスキャンによって取得した画像データからコマが存在する領域を抽出する。本スキャン実行手段８６は、フィルムＦを逆方向に送り出しながらフィルムＦの各コマの画像データを高解像度で取得する本スキャンを実行する。
モード切換手段８７は、開閉センサ３５からの信号に基づいて導入ガイドＴの蓋体３２の状態を判定し、自動スキャニングモードにおいて蓋体３２が開放状態にある場合には、排出モードに切り換える制御を行い、この切り換えを行ったことを示す情報をモニタ４に出力する処理を実行する。この排出モードへの切り換えは、フィルムプロセッサ部ＦＰでフィルムＦの現像処理を開始した後、フィルムＦが排出されるまでに蓋体３２が開放姿勢に設定された場合にも行われる。
【００５３】
供給搬送制御部Ｘの搬送制御手段９１は、供給搬送ユニットＡの切換プレート５４や圧着ローラ５５、あるいは、揺動フレーム６３とチャックローラ６４の作動によって該供給搬送ユニットＡにフィルムＦを導入した後に、フィルムＦをフィルムスキャナ部ＦＳに供給する処理を実行する。また、この間に、供給搬送制御部Ｘの切断制御手段９２は、供給搬送ユニットＡの分離ユニットＫによって、導入されたフィルムＦからリーダＬを切り離す処理を実行する。さらに、回収搬送制御部Ｙの搬送制御手段９４は、フィルムプロセッサ部ＦＰから排出されたフィルムＦを回収ユニットＣにおいて搬送する制御を実行する。
【００５４】
尚、処理実行手段８３、プレスキャン実行手段８４、コマ抽出手段８５、本スキャン実行手段８６、モード切換手段８７、供給搬送制御部Ｘの搬送制御手段９１と切断制御手段９２、及び、回収搬送制御部Ｙの搬送制御手段９４は、ソフトウエアで構成するものを想定しているが、ハードウエアで構成することやハードウエアとソフトウエアとの組み合わせによって構成しても良い。
【００５５】
（自動スキャニングモード）
自動スキャニングモードでの制御は処理実行手段８３によって行われる。その処理の概要を図１９のフローチャートのように示している。まず、オペレータは、フィルムＦ（未現像写真フィルム）をフィルムプロセッサ部ＦＰにセットする以前に、画像処理部Ｇのキーボード５等を操作して、現像処理後のフィルムＦ（現像済み写真フィルム）をフィルムスキャナ部ＦＳでスキャニングする処理を選択する。また、ここでプリントサイズも選択する。これらの選択による処理データは、図２１に示すようなモニタ４上の処理画面７０に表示される（＃１０１、＃１０２ステップ）。
【００５６】
処理画面７０には、オーダーナンバー入力部７１と、プリントチャンネル入力部７２と、プリント設定部７３と、プリント枚数入力部７３Ａと、インデックス設定部７４と、メディア出力設定部７５と、処理情報表示部７６と、現像選択部７７とが形成されている。処理情報表示部７６には、複数のフィルムＦに対応したチャンネル名称と、オーダーナンバーと、オーダー状態と、フィルムの排出先と、エラーの発生の有無、フィルムＦの種類等を表示する領域が形成されている。
【００５７】
オーダーナンバー入力部７１にはフィルムＦを特定する識別情報としてフィルムＦに与えたオーダーナンバーの入力が可能である。プリントチャンネル入力部７２にはプリントチャンネルの入力が可能である。プリント設定部７３には取得した画像データの出力形態としてプリント処理を選択でき、プリント枚数入力部７３Ａには各コマのプリント枚数の入力が可能である。インデックス設定部７４ではインデックスプリントの有無を選択できる。メディア出力設定部７５には取得した画像データの出力形態としてＣＤ−Ｒ等のメディアを設定できる。
【００５８】
処理情報表示部７６には、オーダーナンバーで識別可能な状態で、オーダー状態としてフィルムＦの処理状況がリアルタイムで表示されるが、フィルムスキャナ部ＦＳでスキャニングが不能である場合、及び、蓋体３２が開放操作されることによりフィルムＦが排出モードで排出された場合において、同図に示すように「選択待ち」の情報が表示される。尚、フローチャートには示していないが、リアルタイムでの表示としては、フィルムプロセッサ部ＦＰにおいてフィルムＦがローディング中であることを示す情報、現像処理中であることを示す情報、フィルムスキャナ部ＦＳにおいてプレスキャンが実行されていることを示す情報、本スキャンが実行されていることを示す情報等を例に挙げることができる。
【００５９】
また、この処理では、画像処理部Ｇにおいて処理に必要な選択を行ったが、本発明では、コントロールパネル１６において処理に必要な選択を行うものであっても良い。ちなみに、もしも、処理画面７０上で「現像のみ」と記された現像選択部７７のチェックボックスをマウス６でチェックすると、フィルムＦの現像処理のみが行われ、フィルムＦはフィルムスキャナ部ＦＳに供給されることなく、ストッカーＳＴに排出される（排出モードでの処理）。
【００６０】
次に、フィルムプロセッサ部ＦＰのフィルム挿入部１１にフィルムＦのフィルム収納体Ｃｆをセットし、現像処理を開始する。
また、フィルムＦの現像処理を開始した後には、開閉センサ３５からの検出信号が取得され、現像済みのフィルムＦの先端がフィルムプロセッサ部ＦＰの排出部１４から排出される直前まで、導入ガイドＴの蓋体３２の状態を開閉センサ３５からの検出信号に基づいて繰り返して判定し続け、蓋体３２が閉じ状態にある場合には、供給搬送制御部Ｘでの制御により供給搬送ユニットＡがフィルムスキャナ部ＦＳへのフィルム供給作動を行う（＃１０５、＃１０６、＃２００ステップ）。
【００６１】
この後、フィルムスキャナ部ＦＳにおいてスキャニングが実行され、このスキャニングの終了後に、このオーダーナンバーと共に、関連する情報が処理画面７０から消去され、更に、スキャニング後のフィルムＦが回収ユニットＣで搬送されストッカーＳＴに回収される（＃１０７〜＃１０９ステップ）。
【００６２】
このフローチャートでは、フィルムスキャナ部ＦＳでのスキャニングの形態を示していないが、フィルムスキャナ部ＦＳでは、前述した通り、導入ガイドＴから供給されるフィルムＦをフィルムキャリア２１において比較的高速で搬送する形態でフィルムＦの長手方向の全ての情報を粗く取り込むプレスキャンが実行される（プレスキャン実行手段８４による処理）。このようにプレスキャンを実行する際には巻取ユニットＲにフィルムＦの先端が巻き取られる形態となる。
【００６３】
プレスキャン後は、コマ抽出手段８５がプレスキャンで取得した画像データの画像処理を行うことによって画像コマを特定する処理を行う。この後に、本スキャン実行手段８６が、プリントサイズに対応した画素数となる画像データを取得するように搬送速度を設定し（画素数が多くなるほどスキャニング時の搬送速度が低速化される）、巻取ユニットＲに巻き取られたフィルムＦを逆方向に搬送しながら、コマ毎に画像データを取得する本スキャンを実行する。
このように取得されたプレスキャンと本スキャンとで取得された画像データは、画像処理部Ｇに伝送され、画像処理部Ｇにおいて、必要な処理を行った後に写真プリント装置Ｐに伝送され、印画紙等のプリント媒体にプリントする処理が実行される。
【００６４】
ちなみに、＃１０６ステップにおいて蓋体３２が開放状態にあると判定した場合には、モード切換手段８７が、制御モードを排出モードに切り換えることで供給搬送ユニットＡの切換プレート５４を閉鎖姿勢に設定して、フィルムプロセッサ部ＦＰの排出部１４からのフィルムＦをストッカーＳＴに排出する作動を行い、この排出に対応した情報をモニタ４の処理画面７０に表示する（＃１１０、＃１１１ステップ）。
尚、この場合に処理画面７０表示される情報は、排出モードに切り換えられたフィルムＦのオーダーナンバーを示す情報とすれば良い。ただし、この情報は必ずしも処理画面７０に表示する必要はなく、新たに画面を開き、その画面に表示するように処理形態を設定しても良い。
【００６５】
（フィルム供給作動）
現像済みのフィルムＦをフィルムスキャナ部ＦＳへ供給するフィルム供給作動（＃２００ステップ）はサブルーチンとして設定されており、その処理を図２０のフローチャートに示している。
つまり、図１５（ａ）に示すように、切換プレート５４を開放姿勢に設定し、揺動フレーム６２をチャック姿勢に設定し、圧着ローラ５５の駆動を開始し、排出部１４からリーダＬが排出された場合には、被搬送体検出手段５７によるスプライステープＪの検出結果に基づいて図１５（ｂ）に示すように、スプライステープＪが切断刃５６Ａの在る切断位置に来るまでリーダＬとフィルムＦを搬送して停止し（この一連の処理は搬送制御手段９１と切断制御手段９２とが実行する）、この停止の後に、切断制御手段９２が分離ユニットＫを制御してスプライステープＪを切断することで、フィルムＦからリーダＬを切り離す処理を実行する（＃２０１〜＃２０６ステップ）。
【００６６】
この切断処理では、予め、リーダＬとフィルムＦとをスプライステープＪで接続する際の、リーダＬとスプライステープＪとの重複長さＤ１と、リーダＬとフィルムＦとの離間距離Ｄ２とを略一定に定めておくことで、スプライステープＪの前端位置を基準にして、ここからフィルムＦの搬送方向に関して予め設定された相対距離Ｄ（Ｄ＝Ｄ１＋Ｄ２／２）だけ離間したスプライステープＪの中央位置ＪＣを切断位置と設定して切断が実行される。つまり、被搬送体検出手段５７がスプライステープＪの前端を検出したタイミングでのフィルムＦの搬送位置を基準として設定し、そこから相対距離Ｄだけ更に下流側に搬送するための駆動パルス数を求め、この駆動パルスだけ搬送モータＭ５５を駆動してフィルムＦを停止させる。このようにフィルムＦを停止させた状態で分離ユニットＫを駆動するとスプライステープＪの略中央での切断が実現する。ただし、被搬送体検出手段５７によるスプライステープＪの前端検出から一定の時間長さ経過後に搬送モータＭ５５を停止させる遅延回路を用いることで、スプライステープＪの略中央部位を分離ユニットＫの切断刃５６Ａまで搬送して、切断しても良い。
【００６７】
尚、フローチャートには示していないが、リーダＬの切り離しを行う以前には、図１６（ｃ）に示すように、切換プレート５４を閉鎖姿勢に設定する作動が行われ、供給搬送ユニットＡにおいてフィルムＦの搬送は一時的に停止するものの、排出部１４からはフィルムＦが継続的に排出されるので、排出部１４と供給搬送ユニットＡとの中間部分には、同図において仮想線で示す如くフィルムＦの弛みが形成されるが、切換プレート５４に形成された開口５４Ａが弛みの形成を許す。
【００６８】
前述したように、リーダＬの切り離しを行う状態では、リーダＬがチャックローラ６４に圧着されている。従って、リーダＬを切り離した後には、チャックローラ６４を予め設定された量だけ回転駆動することによって、図１６に示すようにリーダＬを排出し、この排出の後には、圧着ローラ５５とチャックローラ６４とを等速で同期駆動することによってフィルムＦの搬送を開始し、フィルムＦの先端部をチャックローラ６４で圧着する（＃２０７、＃２０８ステップ）。
【００６９】
この処理で排出されたリーダＬは落下してリーダ保持部１８Ｌに着地する。リーダ保持部１８Ｌには複数のリーダＬを貯留できる。また、フィルムＦをチャックローラ６４で圧着する際には、フィルムＦの搬送開始により被搬送体検出手段５７でフィルムＦの先端を検出したタイミングを基準にして、予め設定されたパルス数だけ第１モータＭ１を駆動することによって、フィルムＦの先端がチャックローラ６４で圧着される位置まで送られることになり、この位置で搬送が停止する。
【００７０】
次に、図１６（ｄ）に示すように、揺動フレーム６２を供給姿勢まで揺動作動し、ここでチャックローラ６４を回転駆動させると、フィルムプロセッサ部ＦＰに対するフィルムＦの供給が開始される。この供給時には、フィルムＦに対して張力を作用させないように、一点鎖線で示すように、搬送方向に関してチャックローラ６４より上流側にフィルムＦのループを形成した状態で供給し、供給が完了すると、各ローラの駆動を停止し、揺動フレーム６２をチャック姿勢に復帰させる（＃２０９〜＃２１３ステップ）。このように供給搬送ユニットＡにおいてフィルムＦをフィルムスキャナ部ＦＳに供給する制御は、搬送制御手段９１が実行する。
【００７１】
このフィルム供給のための処理では、先ず、揺動フレーム６２を供給姿勢に設定することにより、図１６（ｄ）に示すように、排出ガイドＣａが、揺動フレーム６２によって上方に押し上げられることで、支軸４５周りで揺動して退避する。また、フィルムＦの供給を開始した時は、供給搬送ユニットＡでの搬送速度をチャックローラ６４でのフィルムＦの搬送速度より高速にすることによりフィルムＦのループを作り出して、プレスキャンが行われる。この後、各ローラの駆動を停止し、揺動フレーム６２をチャック姿勢に復帰させることでフィルム供給作動が終了する。
【００７２】
（マニュアルスキャニングモード）
本発明による写真フィルム処理装置２００では、特に、１３５サイズのフィルムＦのスキャニングを行う場合に、供給搬送ユニットＡによる自動スキャニングモードを用いず、フィルムプロセッサ部ＦＰから排出されたフィルムＦを手動によってあらためてフィルムスキャナ部ＦＳに装入するマニュアルスキャニングモードによる処理が可能である。
マニュアルスキャニングモードでは、図２２（ａ）に示すように、現像済みのフィルムＦから分離ユニットＫによってリーダＬが切り離された時点で、供給搬送ユニットＡの圧着ローラ５５によるフィルムＦの排出を一時的に停止させ、この間に、チャック姿勢にある揺動フレーム６２の後端に、補助巻き取りユニット６５を取り付けることができる。
【００７３】
また、分離ユニットＫの切断刃５６Ａと圧着ローラ５５との中間付近には、フィルムＦの後端部を検出可能な後端検出手段５８として可視光を用いた第３光センサ５８ａが備えられている。それまで第１光センサ５７ａの遮光と第２光センサ５７ｂの透過という現像済みのフィルムＦによって与えられる条件に基づいてカッターモータＭ５６の電源をＯＦＦに維持していた電源開閉手段５９が、後端検出手段５８による前記後端部の検出に応じてカッターモータＭ５６の電源を再びＯＮ操作することで、フィルムＦの後端部が切断刃５６Ａによって真直ぐに切り落とされる。このような第３光センサ５８ａの遮光状態から透過状態への変化に基づくフィルムＦの後端部の判定は、被搬送体検出手段５７の一部として処理ユニット２５に設けられた後端判定手段９３Ｂ（判定手段の一例）によって実行される。
【００７４】
ここで、圧着ローラ５５によるフィルムＦの排出を再開させると、リーダＬが切り離されたフィルムＦが先頭から補助巻き取りユニット６５内に進入し、ロール状に巻き取られ始める。圧着ローラ５５によるフィルムＦの排出が完了すると、補助巻き取りユニット６５の開口部６５ａから真直ぐに切断されたフィルムＦの後端が数ｃｍ突出した状態になる。尚、補助巻き取りユニット６５内には、乳剤面が上向きの状態で開口部６５ａから装入されたフィルムＦが乳剤面を内側にしたロール状になるように、フィルムＦの先端を下方に偏向させるガイド部６５ｂと、形成されるロールの中心となるコア部６５ｃとが設けられている。
【００７５】
フィルムＦの排出が完了した後で補助巻き取りユニット６５を揺動フレーム６２から取り外し、図２２（ｂ）に示すように、予め排出ガイドＥの蓋体３２と排出ガイドＣａの蓋体４２とを開放しておいた導入ガイドのガイド本体３１に、補助巻き取りユニット６５の上下位置を反転させた状態でセットすると、補助巻き取りユニット６５から突出したフィルムＦの後端が圧着ローラ２１Ｒのニップに係止され、さらに、フィルムキャリア２１の存否センサ２１Ｓによって検出されるため、圧着ローラ２１Ｒが駆動され、フィルムスキャナ部ＦＳによる画像の読み取りが開始される。
【００７６】
（排出モード）
フローチャートには示していないが、処理実行手段８３は、フィルムプロセッサ部ＦＰから送り出されたフィルムＦをストッカーＳＴに排出する制御を行うこともできる。この排出モードでの制御を行う際には、自動スキャニングモードの場合と同様に、オペレータが、フィルムＦ（未現像写真フィルム）をフィルムプロセッサ部ＦＰにセットする以前に、先ず画像処理部Ｇの処理画面７０にある「現像のみ」と記された現像選択部７７のチェックボックスをチェックする。図１８に示すように、切換プレート５４を閉鎖姿勢に設定し、現像処理後のフィルムＦ（現像済み写真フィルム）を、供給搬送ユニットＡに送ることなく、ストッカーＳＴに排出することになる。このように排出モードが選択された場合には、モニタ４に該当するオーダーナンバーとともに排出モードが選択されていることを示す情報が表示され、フィルムプロセッサ部ＦＰからストッカーＳＴにフィルムＦが排出された時点で、このオーダーナンバーと排出モードを意味する情報とがモニタ４から消去される。
【００７７】
尚、分離ユニットＫにおいてカッターモータＭ５６の電源をＯＮ・ＯＦＦ操作する電源開閉手段５９の具体的な構成としては、例えば、図１４に示すような、第１光センサ５７ａ、第２光センサ５７ｂ、及び、第３光センサ５８ａとリレーＸとの間にＮＯＴ回路、ＡＮＤ回路、ＯＲ回路などのハードからなる論理回路を介装させた回路を用いることができる。第１光センサ５７ａと第２光センサ５７ｂとはＡＮＤ回路、ＯＲ回路を経てリレーＸと接続されている。他方、第３光センサ５８ａとリレーＸとは、ＡＮＤ回路を介さないバイパス回路でＯＲ回路と接続されている。
【００７８】
したがって、スプライステープＪの先端が第１光センサ５７ａと第２光センサ５７ｂとを同時に遮光状態にするとＡＮＤ回路が働くので、始めてリレーＸが開き、カッターモータＭ５６の電源が入り、ＣＰＵからの制御信号に基づいて切断刃５６ＡによるスプライステープＪでの切り離しが実施される。次に搬送が進みスプライステープＪの後端が第１光センサ５７ａと第２光センサ５７ｂを通り過ぎると、フィルムＦによって少なくとも赤外光を用いた第２光センサ５７ｂが透過状態になるので、ＡＮＤ回路が働かず、リレーＸが閉じられて、カッターモータＭ５６の電源が遮断されるので、仮にＣＰＵが暴走して切断指示を出しても、切断刃５６Ａは駆動されることがない。
【００７９】
さらに搬送が進行して、フィルムＦの後端が第３光センサ５８ａを通過すると、バイパス回路を経てＯＲ回路がＯＮされるので、ＣＰＵからの制御信号に基づいて切断刃５６ＡによるフィルムＦの後端の切り落としが実施される。
尚、実際には、第３光センサ５８ａによるフィルムＦの後端検出から一定時間が経過すると、リレーＸを自動的に閉じるように構成すれば良い。
【００８０】
〔別実施形態〕
〈１〉本発明は、リーダとフィルムとがスプライステープを用いない接続部で接続された形態の写真フィルム処理装置にも適用可能である。すなわち、１３５フィルムの先頭にある比較的長い非画像コマ部（ネガフィルムの場合には余黒と呼ばれる部位）の先端部位と、リーダの後端とを、接着剤または両面テープなどで両部材の重複部が形成されるように接続した場合にも、リーダとフィルムとが重なり合った部位と、その重複部位の下流側に隣接したフィルムのみの部位とでは、第１光センサ５７ａまたは第２光センサ５７ｂによる検出状態が異なる（例えば前者が後者よりも赤外光の透過率が低い）ことを利用して、リーダの後端位置を特定することができるので、例えば、リーダの後端から数ｍｍ程度下流側に相当する余黒部位を切断することで、リーダを切り離す処理が可能となる。
【００８１】
〈２〉本発明は、前述した写真フィルム処理装置２００のようにスキャナ部を一体的に備えた写真フィルム処理装置に限らず、現像処理部のみを備え、その現像処理部の排出部にリーダを写真フィルムから切り離す分離機構が備えられた写真フィルム処理装置にも適用可能である。
【００８２】
〈３〉被搬送体検出手段５７を構成する第１光センサ５７ａと第２光センサ５７ｂとを切断刃５６Ａよりも上流側に配置すれば、可視光を用いた第１光センサ５７ａをマニュアルスキャニングモードで用いる後端検出手段として用いることができる。
【図面の簡単な説明】
【００８３】
【図１】写真フィルム処理装置と画像処理装置とを示す斜視図
【図２】写真フィルム処理装置の縦断側面図
【図３】供給搬送ユニットからフィルムプロセッサに至るフィルム供給系の側面図
【図４】供給搬送ユニットと導入ガイドと回収ユニットとを示す側面図
【図５】供給搬送ユニットの揺動フレームの作動の概要を示す側面図
【図６】切換プレートの開口を示す図
【図７】導入ガイドの断面図
【図８】排出ガイドの断面図
【図９】案内部材の断面図
【図１０】フィルムプロセッサの平面図
【図１１】リーダを取り付けたフィルムの斜視図
【図１２】写真フィルム処理装置の制御系を示すブロック回路図
【図１３】センサ類の配置を模式的に示した図
【図１４】電源開閉手段を構成する回路図
【図１５】フィルムを受け入れと、切断位置まで搬送した状態とにおける供給搬送ユニットの部位の側面図
【図１６】フィルムの切断と、フィルムの先端を導入ガイドに供給する際とにおける供給搬送ユニットの部位の側面図
【図１７】マニュアルスキャンモードにおいてフィルムの排出時の状態を示す側面図
【図１８】排出モードでのフィルムの搬送形態を示す図
【図１９】自動スキャニングモードのフローチャート
【図２０】フィルム供給作動ルーチンのフローチャート
【図２１】処理画面を示す図
【図２２】マニュアルスキャニングモードを示す略図
【符号の説明】
【００８４】
４  モニタ
３１  ガイド本体
３２  蓋体
３５  開閉センサ
８７  モード切換手段
９１  搬送制御手段
Ａ  供給搬送ユニット
ＦＰ  フィルムプロセッサ部
ＦＳ  フィルムスキャナ部
Ｔ  導入ガイド
Ｆ  写真フィルム
Ｌ  リーダ
Ｊ  スプライステープ（接続部）
Ｋ  分離ユニット
Ｘ  リレー
２５  処理ユニット
５５  圧着ローラ
５６Ａ  切断刃
Ｍ５６  カッターモータ
５７  被搬送体検出手段
５７ａ  第１光センサ
５７ｂ  第２光センサ
５８ａ  第３光センサ
５９  電源開閉手段
６５  補助巻き取りユニット
９３Ａ  被搬送体判定手段（判定手段）
９３Ｂ  後端判定手段（判定手段）
【図１】
2007279299.tif 000003
【図２】
2007279299.tif 000004
【図３】
2007279299.tif 000005
【図４】
2007279299.tif 000006
【図５】
2007279299.tif 000007
【図６】
2007279299.tif 000008
【図７】
2007279299.tif 000009
【図８】
2007279299.tif 000010
【図９】
2007279299.tif 000011
【図１０】
2007279299.tif 000012
【図１１】
2007279299.tif 000013
【図１２】
2007279299.tif 000014
【図１３】
2007279299.tif 000015
【図１４】
2007279299.tif 000016
【図１５】
2007279299.tif 000017
【図１６】
2007279299.tif 000018
【図１７】
2007279299.tif 000019
【図１８】
2007279299.tif 000020
【図１９】
2007279299.tif 000021
【図２０】
2007279299.tif 000022
【図２１】
2007279299.tif 000023
【図２２】
2007279299.tif 000024